【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
接合面（１０４）を有する金属体（１００）と、
前記接合面に直接接合によって一体化された固定部（２０１）を有する樹脂体（２００）と、
を含み、
前記金属体は、前記接合面における前記樹脂体の前記固定部の位置を固定するための第１引っ掛かり部（１１０）を有し、
前記樹脂体は、前記第１引っ掛かり部に引っ掛かることにより前記接合面に対して前記固定部の移動を禁止する第２引っ掛かり部（２１１）を有し、
前記固定部は、前記金属体の前記第１引っ掛かり部と前記樹脂体の前記第２引っ掛かり部とが引っ掛かった状態で前記接合面に直接接合されており、
前記接合面は、曲面または傾斜した平面であり、
前記第１引っ掛かり部は、前記直接接合の際に前記固定部が前記接合面に押し付けられることで前記固定部が前記接合面の前記曲面または前記傾斜した平面に沿って移動する移動先に位置していると共に、前記接合面から突出した出っ張り部（１１０）を有し、
前記第２引っ掛かり部は、前記直接接合の際に前記固定部が前記接合面に押し付けられることで前記固定部が前記接合面の前記曲面または前記傾斜した平面に沿って移動する移動側の先端部分であると共に、前記出っ張り部に対応する端部（２１１）を有し、
前記固定部は、前記端部が前記出っ張り部に接触することで、前記端部が前記出っ張り部に引っ掛かった状態で前記接合面に直接接合されている接合構造体。
【請求項２】
接合面（１０４）を有する金属体（１００）と、
前記接合面に直接接合によって一体化された固定部（２０１）を有する樹脂体（２００）と、
を含み、
前記金属体は、前記接合面における前記樹脂体の前記固定部の位置を固定するための第１引っ掛かり部（１０６）を有し、
前記樹脂体は、前記第１引っ掛かり部に引っ掛かることにより前記接合面に対して前記固定部の移動を禁止する第２引っ掛かり部（２０６）を有し、
前記固定部は、前記金属体の前記第１引っ掛かり部と前記樹脂体の前記第２引っ掛かり部とが引っ掛かった状態で前記接合面に直接接合されており、
前記接合面は、曲面または傾斜した平面であり、
前記第１引っ掛かり部は、前記直接接合の際に前記固定部が前記接合面に押し付けられることで前記固定部が前記接合面の前記曲面または前記傾斜した平面に沿って移動する移動方向とは反対側に位置していると共に、前記接合面から突出した突起部（１０６）を有し、
前記第２引っ掛かり部は、前記直接接合の際に前記固定部が前記接合面に押し付けられることで前記固定部が前記接合面の前記曲面または前記傾斜した平面に沿って移動する移動方向とは反対側に設けられていると共に、前記突起部に対応する凹部（２０６）を有し、
前記固定部は、前記凹部が前記突起部に引っ掛かった状態で前記接合面に直接接合されている接合構造体。
【請求項３】
接合面（１０４）を有する金属体（１００）と、
前記接合面に直接接合によって一体化された固定部（２０１）を有する樹脂体（２００）と、
を含み、
前記金属体は、前記接合面における前記樹脂体の前記固定部の位置を固定するための第１引っ掛かり部（１０９）を有し、
前記樹脂体は、前記第１引っ掛かり部に引っ掛かることにより前記接合面に対して前記固定部の移動を禁止する第２引っ掛かり部（２０８）を有し、
前記固定部は、前記金属体の前記第１引っ掛かり部と前記樹脂体の前記第２引っ掛かり部とが引っ掛かった状態で前記接合面に直接接合されており、
前記接合面は、曲面または傾斜した平面であり、
前記第１引っ掛かり部は、前記直接接合の際に前記固定部が前記接合面に押し付けられることで前記固定部が前記接合面の前記曲面または前記傾斜した平面に沿って移動する移動方向とは反対側に位置していると共に、前記接合面の一部が凹んだ穴部（１０９）を有し、
前記第２引っ掛かり部は、前記直接接合の際に前記固定部が前記接合面に押し付けられることで前記固定部が前記接合面の前記曲面または前記傾斜した平面に沿って移動する移動方向とは反対側に設けられていると共に、前記穴部に対応する凸部（２０８）を有し、
前記固定部は、前記凸部が前記穴部に引っ掛かった状態で前記接合面に直接接合されている接合構造体。
【請求項４】
接合面（１０４）を有する金属体（１００）と、
前記接合面に直接接合によって一体化された固定部（２０１）を有する樹脂体（２００）と、
を含み、
前記金属体は、前記接合面における前記樹脂体の前記固定部の位置を固定するための第１引っ掛かり部（１０６）を有し、
前記樹脂体は、前記第１引っ掛かり部に引っ掛かることにより前記接合面に対して前記固定部の移動を禁止する第２引っ掛かり部（２１０）を有し、
前記固定部は、前記金属体の前記第１引っ掛かり部と前記樹脂体の前記第２引っ掛かり部とが引っ掛かった状態で前記接合面に直接接合されており、
前記接合面は、曲面または傾斜した平面であり、
前記第１引っ掛かり部は、前記直接接合の際に前記固定部が前記接合面に押し付けられることで前記固定部が前記接合面の前記曲面または前記傾斜した平面に沿って移動する移動方向とは反対側に位置していると共に、前記接合面から突出した突起部（１０６）を有し、
前記第２引っ掛かり部は、前記直接接合の際に前記固定部が前記接合面に押し付けられることで前記固定部が前記接合面の前記曲面または前記傾斜した平面に沿って移動する移動方向とは反対側に設けられていると共に、前記突起部に対応する貫通孔（２１０）を有し、
前記固定部は、前記貫通孔が前記突起部に引っ掛かった状態で前記接合面に直接接合されている接合構造体。
【請求項５】
接合面（１０４）を有する金属体（１００）と、
前記接合面に直接接合によって一体化された固定部（２０１）を有する樹脂体（２００）と、
を含み、
前記金属体は、前記接合面における前記樹脂体の前記固定部の位置を固定するための第１引っ掛かり部（１１３）を有し、
前記樹脂体は、前記第１引っ掛かり部に引っ掛かることにより前記接合面に対して前記固定部の移動を禁止する第２引っ掛かり部（２１４）を有し、
前記固定部は、前記金属体の前記第１引っ掛かり部と前記樹脂体の前記第２引っ掛かり部とが引っ掛かった状態で前記接合面に直接接合されており、
前記接合面は、傾斜した平面であり、
前記第１引っ掛かり部は、前記直接接合の際に前記固定部が前記接合面に押し付けられることで前記固定部が前記接合面の前記傾斜した平面に沿って移動する移動方向とは反対側の端の角部（１１３）を有し、
前記第２引っ掛かり部は、前記直接接合の際に前記固定部が前記接合面に押し付けられることで前記固定部が前記接合面の前記傾斜した平面に沿って移動する移動方向とは反対側に設けられていると共に、前記角部に引っ掛かる引っ掛かり部（２１４）を有し、
前記固定部は、前記引っ掛かり部が前記角部に引っ掛かった状態で前記接合面に直接接合されている接合構造体。
【請求項６】
前記金属体は、熱交換器の一部である請求項１ないし５のいずれか１つに記載の接合構造体。
【手続補正２】
【補正対象書類名】明細書
【補正対象項目名】０００８
【補正方法】変更
【補正の内容】
【０００８】
上記目的を達成するため、請求項１〜５に記載の発明では、接合構造体は、接合面（１０４）を有する金属体（１００）と、接合面に直接接合によって一体化された固定部（２０１）を有する樹脂体（２００）と、を含んでいる。
【手続補正３】
【補正対象書類名】明細書
【補正対象項目名】０００９
【補正方法】変更
【補正の内容】
【０００９】
金属体は、接合面における樹脂体の固定部の位置を固定するための第１引っ掛かり部（１０６、１０９、１１０、１１３）を有している。樹脂体は、第１引っ掛かり部に引っ掛かることにより接合面に対して固定部の移動を禁止する第２引っ掛かり部（２０６、２０８、２１０、２１１、２１４）を有している。
【手続補正４】
【補正対象書類名】明細書
【補正対象項目名】００１０
【補正方法】変更
【補正の内容】
【００１０】
そして、固定部は、金属体の第１引っ掛かり部と樹脂体の第２引っ掛かり部とが引っ掛かった状態で接合面に直接接合されている。
請求項１に記載の発明では、接合面は、曲面または傾斜した平面である。第１引っ掛かり部は、直接接合の際に固定部が接合面に押し付けられることで固定部が接合面の曲面または傾斜した平面に沿って移動する移動先に位置していると共に、接合面から突出した出っ張り部（１１０）を有する。第２引っ掛かり部は、直接接合の際に固定部が接合面に押し付けられることで固定部が接合面の曲面または傾斜した平面に沿って移動する移動側の先端部分であると共に、出っ張り部に対応する端部（２１１）を有する。固定部は、端部が出っ張り部に接触することで、端部が出っ張り部に引っ掛かった状態で接合面に直接接合されている。
請求項２に記載の発明では、接合面は、曲面または傾斜した平面である。第１引っ掛かり部は、直接接合の際に固定部が接合面に押し付けられることで固定部が接合面の曲面または傾斜した平面に沿って移動する移動方向とは反対側に位置していると共に、接合面から突出した突起部（１０６）を有する。第２引っ掛かり部は、直接接合の際に固定部が接合面に押し付けられることで固定部が接合面の曲面または傾斜した平面に沿って移動する移動方向とは反対側に設けられていると共に、突起部に対応する凹部（２０６）を有する。固定部は、凹部が突起部に引っ掛かった状態で接合面に直接接合されている。
請求項３に記載の発明では、接合面は、曲面または傾斜した平面である。第１引っ掛かり部は、直接接合の際に固定部が接合面に押し付けられることで固定部が接合面の曲面または傾斜した平面に沿って移動する移動方向とは反対側に位置していると共に、接合面の一部が凹んだ穴部（１０９）を有する。第２引っ掛かり部は、直接接合の際に固定部が接合面に押し付けられることで固定部が接合面の曲面または傾斜した平面に沿って移動する移動方向とは反対側に設けられていると共に、穴部に対応する凸部（２０８）を有する。固定部は、凸部が穴部に引っ掛かった状態で接合面に直接接合されている。
請求項４に記載の発明では、接合面は、曲面または傾斜した平面である。第１引っ掛かり部は、直接接合の際に固定部が接合面に押し付けられることで固定部が接合面の曲面または傾斜した平面に沿って移動する移動方向とは反対側に位置していると共に、接合面から突出した突起部（１０６）を有する。第２引っ掛かり部は、直接接合の際に固定部が接合面に押し付けられることで固定部が接合面の曲面または傾斜した平面に沿って移動する移動方向とは反対側に設けられていると共に、突起部に対応する貫通孔（２１０）を有する。固定部は、貫通孔が突起部に引っ掛かった状態で接合面に直接接合されている。
請求項５に記載の発明では、接合面は、傾斜した平面である。第１引っ掛かり部は、直接接合の際に固定部が接合面に押し付けられることで固定部が接合面の傾斜した平面に沿って移動する移動方向とは反対側の端の角部（１１３）を有する。第２引っ掛かり部は、直接接合の際に固定部が接合面に押し付けられることで固定部が接合面の傾斜した平面に沿って移動する移動方向とは反対側に設けられていると共に、角部に引っ掛かる引っ掛かり部（２１４）を有する。固定部は、引っ掛かり部が角部に引っ掛かった状態で接合面に直接接合されている。
【手続補正５】
【補正対象書類名】図面
【補正対象項目名】図１５
【補正方法】変更
【補正の内容】
【図１５】
2019107881.tif 000001